(57)【特許請求の範囲】
【請求項１】
火力調節用の回動操作軸と共に回動するカム板と、回動操作軸を閉弁位置から点火位置まで回動させた際にカム板に押されて揺動するレバー部と、該レバー部の揺動によって回動操作軸の軸線に対して直角方向に押し込まれるロッドとを備え、該ロッドの先端で安全弁を強制的に開弁するガスコックにおいて、回動操作軸の火力調節範囲の中間に上記点火位置を設定すると共に、上記カム板を回動軸線に沿って、レバー部に係合する点火可能状態とレバー部に係合しない非点火状態との間で往復自在に形成し、回動操作軸を閉弁位置から点火位置まで回動する際にカム板を点火可能状態に保持すると共に回動操作軸に対する回動操作力を解除することによりカム板を非点火状態に移動させるカム板移動機構を設け、上記回動操作力を解除したとき、回動操作軸は軸線方向に移動せず、カム板移動機構によってカム板は軸線方向に移動した非点火状態にあり、この状態で回動操作軸を回動操作してもカム板がレバー部に当接しないことを特徴とするガスコック。
【請求項２】
上記レバー部は、カム板に当接する第１のレバー部材とロッドに当接する第２のレバー部材とを備え、かつ、ロッドを押し込む際に第１のレバーから第２のレバーに対して所定の大きさ以上の力が作用することを制限する制限機構を有することを特徴とする請求項１記載のガスコック。
【発明の詳細な説明】
【０００１】
【発明の属する技術分野】
本発明は、回動操作軸を回動することによりガスバーナへ供給されるガス量を調節し火力調節を行うガスコックであって、回動操作途中に設定した点火位置でガスバーナに点火した後、点火位置を越えて更に回動操作軸を追い込み回動操作するガスコックに関する。
【０００２】
【従来の技術】
従来のこの種のガスコックとして、例えば実公平４−２４３１０号公報により、閉弁位置を０度として、１１５度の位置に設定された点火位置まで回動操作軸を回動してガスバーナに点火を行い、回動操作軸を一旦９５度の位置の全開位置まで戻した後、１５０度の位置に設定したとろ火位置と４５度の位置に設定した弱位置との間で火力調節を行うようにしたものが知られている。該公報記載のガスコックではバーナの炎によって加熱される熱電対の熱起電力によって吸着保持される安全弁が内蔵されている。従って、点火位置では回動操作軸の軸先方向に沿って往復移動するロッドを回動操作軸の回動操作に連動して移動させ、炎の状態が安定するまでロッドで安全弁を強制的に開弁状態に保持している。点火位置を越えて追い込み回動操作し得るタイプのガスコックでは点火位置でバーナに点火を行うとその後の追い込み回動操作時に再びロッドが安全弁を強制的に開弁しないように、回転操作軸に対する回動力を解除するとロッドを安全弁から離れる方向に待避させるように構成されている。
【０００３】
【発明が解決しようとする課題】
上記公報に記載のガスコックでは回動操作軸の軸線に沿ってロッドが配設され、更に安全弁は回動操作軸の軸線上に位置するように取り付けられている。このタイプのガスコックでは回動操作軸の軸線方向の長さが長くなるため、ロッドを回動操作軸の軸線に対して直角方向に往復移動させるように構成したガスコックがある。このものでは回動操作軸と共に回動するカムと、略中央部分で枢支されたレバーとを備え、回動操作軸を点火位置まで回動するとカムがレバーの一端を押してレバーを揺動させ、レバーの他端でロッドを押し込むように構成されている。そのためこのような回動操作軸の軸線に対して直角方向に往復移動自在のロッドを備えたタイプのガスコックに上記公報に記載された機構を適用することができない。
【０００４】
そこで本発明は、上記の問題点に鑑み、回動操作軸の軸線に対して直角方向に往復移動するロッドを備えていても追い込み操作することのできるガスコックを提供することを課題とする。
【０００５】
【課題を解決するための手段】
上記課題を解決するために本発明は、火力調節用の回動操作軸と共に回動するカム板と、回動操作軸を閉弁位置から点火位置まで回動させた際にカム板に押されて揺動するレバー部と、該レバー部の揺動によって回動操作軸の軸線に対して直角方向に押し込まれるロッドとを備え、該ロッドの先端で安全弁を強制的に開弁するガスコックにおいて、回動操作軸の火力調節範囲の中間に上記点火位置を設定すると共に、上記カム板を回動軸線に沿って、レバー部に係合する点火可能状態とレバー部に係合しない非点火状態との間で往復自在に形成し、回動操作軸を閉弁位置から点火位置まで回動する際にカム板を点火可能状態に保持すると共に回動操作軸に対する回動操作力を解除することによりカム板を非点火状態に移動させるカム板移動機構を設け、上記回動操作力を解除したとき、回動操作軸は軸線方向に移動せず、カム板移動機構によってカム板は軸線方向に移動した非点火状態にあり、この状態で回動操作軸を回動操作してもカム板がレバー部に当接しないことを特徴とする。
【０００６】
回動操作軸を閉弁位置から点火位置まで回動操作すると、カム板は点火可能状態にあるためカム板がレバー部を押すことによりレバー部が揺動しロッドが押し込まれ安全弁が開弁される。点火操作が完了すると回動操作軸に作用させていた回動操作力を解除するため、カム板はカム板移動機構の働きにより非点火状態に移動する。すると、カム板はレバー部に係合しなくなるので追い込み操作を行っても火力調節中に再びロッドが押し込まれることはない。
【０００７】
ところで、レバー部を１枚のレバー部材で構成すると回動操作力がレバー部からロッドを介してそのまま安全弁に伝達される。回動操作力が大きいとロッドの先端が安全弁を強く押すことになる。その状態で急にカム板が非点火状態に移動するとロッドから安全弁に作用していた力が急激に解除されスプリングバックや衝撃のため安全弁が閉弁するおそれがある。その場合には、上記レバー部は、カム板に当接する第１のレバー部材とロッドに当接する第２のレバー部材とを備え、かつ、ロッドを押し込む際に第１のレバーから第２のレバーに対して所定の大きさ以上の力が作用することを制限する制限機構を有するようにすればよい。このように構成することにより、カム板から第１のレバー部材に大きな力が作用しても制限機構により第１のレバー部材から第２のレバー部材に対しては所定の大きさ以上の力が作用しない。
【０００８】
【発明の実施の形態】
図１を参照して、１はガスコックであり、回動操作軸１１を回動操作することにより図外のバーナに送られるガスが増減制御され火力調節することができる。回動操作軸１１には水平なピン１２が係合し、該ピン１２によってカム板２が回動する。該カム板２の近傍には基板１３に対して揺動自在に第１レバー部材３と第２レバー部材４とが取り付けられている。第１レバー部材３は基板１３の上面に接し、第２レバー部材４は基板１３の下面に接するように配設され、枢軸１４によって基板１３に揺動自在に取り付けられている。また、枢軸１４にはトーションばね５が取り付けられている。該トーションばね５の長腕５１は第１レバー部材３の縦爪３１に係合し、短腕５２は第２レバー部材４の縦爪４１に係合している。従って、トーションばね５の付勢力により第２レバー部材４の縦爪４１は第１レバー部材３の尾端部３４に所定の大きさの付勢力で応接される。カム板２が回動して第１レバー部材３のパッド部３３がカム板２によって押されると、第１レバー部材３は揺動する。第２レバー部材４はトーションばね５の付勢力によって第１レバー部材３に追従し第２レバー部材４のパッド部４２がロッド１５を押し込む。該ロッド１５は回動操作軸１１の回動軸線に対して直角方向に進退自在に保持されており、該ロッド１５がガスコック１内に押し込まれると、ガスコック１に内蔵されている図示しない電磁安全弁が強制的に開弁される。尚、６は点火用のスパーカーを作動させるための点火スイッチである。
【０００９】
図２を参照して、０度である閉弁位置（止）から１１５度の位置に設定されている点火位置（点火）まで回動操作軸１１を一気に回動すると回動操作軸１１は点火位置でそれ以上の回動が禁止されると共に点火スイッチ６がオンされて図示しないガスバーナに点火が行われる。点火が完了すると回動操作軸１１から手を離すことにより、回動操作軸１１は自動的に９５度の位置に設定されている全開位置（全開）まで自動的に一旦戻る。その後は点火位置を越えて１５０度の位置に設定されているとろ火位置（とろ火）まで回動操作軸１１を回動させることができ、該とろ火位置と４５度の位置に設定した弱火位置（弱）との間で自在に火力調節を行うことができる。そして、調理終了後は回動操作軸１１を閉弁位置にまで戻す。
【００１０】
図３を参照して、カム板２にはカム板２を上方から覆う爪板１０の爪１０ａ・１０ｂに対して各々対応する斜面２１ａ・２１ｂが形成されている。また、斜面２１ｂの近傍には外側に張り出すカム部２２が形成されており、第１レバー部材３のパッド部３３に該カム部２２が当接する。また、上記ピン１２が挿入される一対の縦溝２３が形成されている。縦溝２３内には回動操作軸１１を閉弁位置から点火位置まで回動操作する際ピン１２が当接する斜面２４が形成されている。また、カム部２２を挟んで、閉弁位置における位置決めを行う基準端面２５と、点火位置及びとろ火位置における位置決めを行う基準端面２６とが形成されている。
【００１１】
図４及び図６を参照して、閉弁位置では爪板１０の爪１０ａ・１０ｂは共にカム板２の上面に当接している。従って、カム板２を上方に付勢するばね２ａの付勢力によってもカム板２は上方に移動することはない。回動操作軸１１を点火位置に向かって回動するとカム板２は回動し、両斜面２１ａ・２１ｂは共に爪１０ａ・１０ｂの下方に移動する。すると爪１０ａ・１０ｂの下端はカム板２の上面から離れるが、縦溝２３内のピン１２は斜面２４に押しつけられ斜面２４にピン１２が係合した状態になっている。このため、カム板２はばね２ａによって押し上げられることなく回動し続ける。回動操作軸１１を点火位置まで回動すると上記基準端面２６がストッパリング８のストッパ部８１に当接してそれ以上回動できなくなると共にロッド１５が押し込まれ安全弁が強制的に開弁され、更に点火スイッチ６がオンされる。この時ロッド１５は安全弁を開ききる位置まで押し込まれると安全弁が邪魔となってそれ以上押し込めなくなる。ところが回動操作軸１１は組み付け誤差や加工誤差等によりロッド１５がそれ以上押し込めない状態になっても更に第１レバー部材３を揺動させる方向に回動することができる場合がある。ロッド１５には第２レバー部材４のパッド部４２が当接しているのでロッド１５がそれ以上押し込めなくなると第２レバー部材４はそれ以上揺動できなくなる。更に第１レバー部材３を揺動させると、図７に示すように、トーションばね５の付勢力にうち勝って第１レバー部材３のみが揺動し縦爪４１は尾端部３４から離れる。バーナに点火されたことを確認して回動操作軸１１から手を離すと、図５に示すように、ピン１２が斜面２４から外れながら回動操作軸１１が全開位置まで戻る。その際カム板２はピン１２との係合が解除されるためばね２ａの付勢力により上方に押し上げられ、カム部２２は第１レバー部材３のパッド部３３に当接しない非点火状態になる。また、第２レバー部材４はロッド１５によって押し戻されるが、ロッド１５にはトーションばね５によって制限された応力以上の力が作用しないので回動操作軸１１に対する操作力を急に解除しても、解除時のショックが大きくならず、従って解除時のショックで安全弁が閉弁してしまうという不具合を回避することができる。このあとは図８に示したようにカム部２２が第１レバー部材３のパッド部３３に当接しないので、回動操作軸１１をとろ火位置と弱位置との間で自由に回動操作することができ、その際回動操作軸１１が点火位置を通過しても点火スイッチ６がオンされることはなく、かつロッド１５が押し込まれることはない。そして、弱位置から回動操作軸１１を閉弁位置に戻す際には爪板１０の両爪１０ａ・１０ｂが斜面２１ａ・２１ｂを押し、カム板２を当初の点火可能状態まで押し下げる。
【００１２】
ところで、上記実施の形態では全開状態で点火を行い、点火後更に追い込み回動操作することにより火力がとろ火まで減少するようにしたが、例えば図９に示すように、中火状態で点火を行い更に追い込み回動操作をすることにより全開状態になるように構成してもよい。近年最大燃焼量が大きなハイカロリーのガスバーナの使用が増加しているが、ハイカロリーのガスバーナでは中火状態でも十分に点火を行うことができると共に、全開状態で点火を行うと点火音が強くなり、あるいは調理鍋から炎が溢れて使用者が驚くからである。
【００１３】
【発明の効果】
以上の説明から明らかなように、本発明は、回動操作軸の軸線に対して直角方向に往復移動するロッドを備えているタイプのガスコックにおいても点火位置を越えて追い込み回動操作することのできる。また、点火完了後急に回動操作軸から手を離しても、安全弁を強制的に開弁させるロッドに一定以上の力が作用していないのでショックで安全弁が閉弁してしまうという不具合がない。
【図面の簡単な説明】
【図１】本発明の一実施の形態の構成を示す図
【図２】回動操作軸の回動範囲を示す図
【図３】カム板の形状を示す斜視図
【図４】点火可能状態にあるカム板を示す図
【図５】非点火状態にあるカム板を示す図
【図６】閉弁位置での平面図
【図７】点火位置での平面図
【図８】追い込み操作時の平面図
【図９】回動操作軸の他の回動範囲を示す図
【符号の説明】
１  ガスコック
２  カム板
３  第１レバー部材
４  第２レバー部材
５  トーションばね
６  点火スイッチ
１１  回動操作軸
１５  ロッド
【図１】
0003678954.tif 000002
【図２】
0003678954.tif 000003
【図３】
0003678954.tif 000004
【図４】
0003678954.tif 000005
【図５】
0003678954.tif 000006
【図６】
0003678954.tif 000007
【図７】
0003678954.tif 000008
【図８】
0003678954.tif 000009
【図９】
0003678954.tif 000010